(57)【要約】【課題】外した眼鏡を被った帽子のツバ上に保持する眼鏡ホルダーにおいて、保持した眼鏡の揺れが無く、保持した眼鏡が前屈みになった使用者の視界を遮らず、帽子ツバ上の眼鏡ホルダーへ外した眼鏡を簡単に装着するだけでなく、眼鏡ホルダー自身も帽子のツバ上から簡単に脱着できるデザイン性に優れた眼鏡ホルダーを提供する。【解決手段】この眼鏡ホルダー１は野球帽状の帽子のツバに固定されるクリップ２を有するクリップ部２と固定装着部  装着固定部５を備えている。クリップ部２を野球帽状のツバの上に装着部３を上にして挟み込み、外した眼鏡のブリッジ・鼻パッドを装着口４に差し込むようにして保持させることで、その眼鏡１２を手で持つことなく携帯できる。【選択図】図１
0003183052.tif 000002
【実用新案登録請求の範囲】
【請求項１】
外した眼鏡を野球帽状の帽子のツバ上に保持するための眼鏡ホルダーであって、帽子のつばに挟んで固定されるクリップ又は、金属ネジ等でツバに固定された装着固定部と、その先端に配せられる装着口として眼鏡のブリッジ及び鼻パッドを差し込む凹部を供えたことを特徴とする眼鏡ホルダー。
【考案の詳細な説明】
【技術分野】
【０００１】  本考案は、帽子のつば上に設置するクリップ式眼鏡ホルダーに関するものである。
【背景技術】
【０００２】  本願考案の背景となる従来の眼鏡ホルダーは、外した眼鏡を保持する眼鏡ホルダーとして眼鏡の左右の弦に紐やチェーンの両端を取り付け、その紐やチェーンの中程を使用者の首に掛けて眼鏡を吊り下げるタイプのものが知られている。（特許文献１，２）。【０００３】また、別の眼鏡ホルダーとして、衣服を貫通するタックピンと、衣服の裏側にて衣服を貫通したタックピンの先端に装着されるピン留め具と、タックピンの衣服の表側の部分に取り付けられたリングとを備え、リングに眼鏡の弦を挿通して眼鏡を蝶番の部分で下げるようにしたものが知られて入る（特許文献３，４）。
【先行技術文献】
【特許文献】
【０００４】
【特許文献１】特開２００５−７０２４８号公報
【特許文献２】特開２００１−３５６３０６号公報
【特許文献３】実用新案登録第３０２７０６７号公報
【特許文献４】実開平６−７６９２６号公報
【考案の概要】
【考案が解決しようとする課題】
【０００５】ところで、サングラスや老眼等の眼鏡は、使用状況によって、掛けたり外したりすることが多く、特にゴルフや釣り等のアウトドアでの使用は簡便に取り付け、取り外しができ、しかも諸動作にもしっかり固定されていることが必要である。【０００６】これまでの、眼鏡を紐やチェーンによって首から吊り下げるタイプでは、使用者が前屈みになったときに、眼鏡がブランコのように大きくゆれてしまう。また、使用者が前屈みになって下向きの作業を行うと、首から紐やチェーンを介して吊り下げられた眼鏡が使用者の視界を妨げることもあり、ゴルフ・釣りなど本来のプレイに集中を要求される際に煩わしく感じる。【０００７】他方、タックピンとピン留め具によって衣服に装着するタイプの眼鏡ホルダーでは、装着位置を変更する際に、衣服の裏側にてピン留め具をタックピンの先端から取り外す必要があり、煩雑である。
例えば、この眼鏡ホルダーを衣服の胸の部分のポケット等に装着した後、ゴルフバッグや釣具バッグや釣具バッグを肩から掛け、バッグの肩掛けベルトが眼鏡ホルダー又はそれに掛けられた眼鏡と干渉する場合、ピン留め具を衣服の裏側にてタックピンから取り外し付け直すと言う作業が必要になるが、歩きながらそのような作業を行うことは煩わしく、特に、老眼鏡を使用する中高齢者とっては困難な場合が多く、ピン留め具を落としてしまう可能性も高い。【０００８】以上の事情を考慮して創案された本考案の目的は、外した眼鏡を野球帽状の帽子のツバ上にクリップで挟んで固定した眼鏡ホルダーに、通常の眼鏡装着の動作の延長で外したり掛けたりを帽子のつばの上で行うだけで完了し、保持した眼鏡の揺れが無く、保持した眼鏡が前屈みになった使用者の視界を遮らず、更にはメガネホルダー自体を簡単に帽子から取り外すことができるデザイン性と機能性に優れたメガネホルダーを提供することにある。
【課題を解決するための手段】
【０００９】上記目的を達成するために請求項１に係る考案は、外した眼鏡を帽子のつば上に設置  保持する眼鏡ホルダーにおいて、保持した眼鏡の揺れが少なく脱着に便利な眼鏡ホルダーである。【００１０】本考案の加工品は、クリップ上に眼鏡ホルダーを配置し、野球帽のようなツバを配する帽子ならどんな帽子にでも利用できるデザイン性に優れた眼鏡ホルダーである。
【考案の効果】
【００１１】本考案に係る眼鏡ホルダーによれば次のような効果を発揮できる。【００１２】（１）請求項１に係る眼鏡ホルダーによれば、クリップで眼鏡装着部を固定させるため野球帽状のツバのある帽子なら、どの帽子にでも装着し使用できる。【００１３】外した眼鏡を使用者の首から下げるのではなく、使用者の被った帽子のツバ上に装着するため視界を遮ることがない【００１４】外した眼鏡をすぐ上のツバに装着するだけなので移動距離を可及的に短くできる。【００１５】ゴルフプレー中  スコア付ける時にだけ必要な老眼の眼鏡、又は魚釣りの時  餌を釣針に付ける際に必要な老眼の眼鏡のような着け外しが頻繁な使用でも最小の動作で簡便に装着できる
【図面の簡単な説明】
【００１６】
【図１】眼鏡ホルダーに眼鏡を装着した実施形態を示す説明図である。
【図２】本考案の眼鏡ホルダーの説明図である。
【図３】本考案の眼鏡ホルダーの規格説明図である。
【図４】本考案の眼鏡ホルダーの変形実施形態を示す図である。
【考案を実施するための形態】
【００１７】本考案の好適実施形態を添付図面に基づいて説明する。
【００１８】図３に示す本実施形態に係る眼鏡ホルダー１は、外した眼鏡を野球帽状  帽子つば上に保持するものであり、つば上に固定されるクリップ部２と同クリップ部２の上先端部分に有する装着部３と、眼鏡のエッジを装着する装着部３に取り付けられた装着口４とクリップ部２下先端部からつばを固定する装着固定部５を備えている。
【００１９】クリップ２は、バネ挟みからなっており、バネ挟みは、中程がピン６で連結された一対の挟持片７を有する。
狭持片７は、断面が略コ字状に形成されており、その一端には帽子のつばを挟む装着部３と装着固定部５が形成され、ピン６を挟んだ他端には使用者の手指で摘まれるつまみ部８が形成されている。また、ピン６には、挟み部８同士を押し付けるように付勢するバネ（弦巻バネ）６ｂが装着されている。
【００２０】摘み部８をバネ６ｂの力に抗して摘むことで装着部３と装着固定部５が開き、摘み部８を開放することで装着部３と装着固定部５が閉じる。
狭持片７は本実施形態では、長さＬ１が約１００ｍｍ、幅Ｗ１が約１０ｍｍとなっているが、これらの数値に限定されるものではない。かかるクリップ２は、金属製でも樹脂製でも構わない。
【００２１】眼鏡１２を眼鏡ホルダー１に装着したとき、眼鏡１２の弦は帽子  頭部に左右に配置され、帽子１０を被った状態で装着した眼鏡１２は、頭部の上下運動、左右回転運動にもずれることなく。
被った帽子自体がずり落ちたり、ずれたりしない限り  安定装着されており。
ゴルフ・釣り・などの運動にも適している。
【００２２】この眼鏡ホルダー１は、帽子１０自体に恒常的に装着しておくものではないので、帽子１０のデザイン性を妨げることはなく、また、眼鏡ホルダー１によって眼鏡１２の重量が重くなったり、眼鏡１２を顔に掛けて使用しているときに視界に眼鏡ホルダーが入って邪魔になることもない。
【００２３】本実施形態に係る眼鏡ホルダー１の使用方法（作用）及び（効果）を述べる。
【００２４】予め使用者は野球帽状の帽子を被り、眼鏡ホルダー１をつばに装着部３が上になるべくクリップ部２を手指でつまみ、帽子つば中央部に図３で示すように挟み固定させる。
サングラスや老眼鏡等の眼鏡１２を顔から外した際、持った手をそのまま帽子１１のつば眼鏡ホルダー１の装着部３の装着口４に眼鏡１２のエッジを挿入する。
このようにして、顔から取り外したサングラスや眼鏡等の眼鏡１２を手で持つことなく携帯できる。
【００２５】なお  眼鏡を顔から外した眼鏡を、手で持ったまま、つば上に移動させ装着させることが生活習慣上  まだ不慣れな場合、一旦  帽子を脱ぎ  手元で外した眼鏡を眼鏡ホルダー１の装着部３の装着口４に目視しながら装着し、その後  帽子を被ることで、顔から取り外したサングラスや眼鏡等の眼鏡１２を手で持つことなく携帯できる。
【００２６】本考案の第１の変形実施形態を図４に示す。
【００２７】図示するように、この実施形態に係る眼鏡ホルダーはクリップ部を排除し、装着部のみを帽子のツバにネジ・ボルトで固定したものである。
【００２８】その他、この変形実施形態の基本的な作用効果は、最初の実施形態と同様であるので、説明を省略する。
【００２９】本考案は、上述した実施形態に限定されるものではなく、実用新案請求の範囲に記載された考案を逸脱しない範囲であれば、様々な実施形態が含まれる。
【符号の説明】
【００３０】Ｎｏ．１        眼鏡ホルダー
Ｎｏ．２        クリップ部
Ｎｏ．３        装着部
Ｎｏ．４        装着口
Ｎｏ．５        装着固定部
Ｎｏ．６        ピン
Ｎｏ．７        狭持片
Ｎｏ．８        つまみ部
Ｎｏ．９        弦
Ｎｏ．１０      帽子
Ｎｏ．１１      エッジ
Ｎｏ．１２      眼鏡
Ｎｏ．１３      留め金
Ｎｏ．１４      ネジ
【産業上の利用可能性】
【００３１】本考案は帽子のつば上に設置するクリップ式眼鏡ホルダーを製造する産業で利用される。
【図１】
0003183052.tif 000003
【図２】
0003183052.tif 000004
【図３】
0003183052.tif 000005
【図４】
0003183052.tif 000006